(57)【特許請求の範囲】
【請求項１】
トップパネル、一対の対向するサイドパネル、及びボトムパネルから成るラップラウンドケース(10)であって、
前記ボトムパネルは内側パネルフラップ(24)と外側パネルフラップ(26)を有し、各パネルフラップは終端部を備え、前記外側パネルフラップの一部は前記内側パネルフラップの一部と重なり、
前記内側パネルフラップ(24)には該内側パネルフラップの前記終端部から離隔した折り線(58)によって接続されたロッキングタブ(56)が接続され、
前記ロッキングタブ(56)は該ロッキングタブをベース部と端部とに仕切る中間折り曲げ線(64)を有し、該ロッキングタブ(56)端部は前記中間折り曲げ線(64)に隣接する保持用開口を有し、
前記外側パネルフラップ(26)は前記外側パネルフラップの端部から離隔した位置にロッキング開口を備え、該ロッキング開口の一端は、該ロッキング開口と前記外側パネルフラップ(26)間に設けられた折り線(50)にそって前記外側パネルフラップに接続された保持用フラップ(54)の縁部によって構成され、該ロッキング開口の他端は該他端から前記外側パネルフラップ(26)の終端に向けて延在する保持タブ(48)を備え、
前記ロッキングタブ(56)のベース部は前記外側パネルフラップ(26)の終端部と重なり合い、前記ロッキングタブ(56)の終端部は前記外側パネルフラップの前記ロッキング開口を貫いて延在し、
前記保持タブ(48)は、前記ロッキングタブ(56)の終端部の前記保持用開口を貫いて延在し、前記保持用フラップ(54)の縁部は前記ロッキングタブ(56)の終端部と接触することを特徴とするラップラウンドケース。
【請求項２】
前記ロッキングタブの中間折り曲げ線(64)が前記保持用開口でその連続性を妨げられていることを特徴とする請求項１に記載のラップラウンドケース。
【請求項３】
前記外側パネルフラップ(26)が前記ロッキング開口の各々の端部に、前記外側パネルフラップの終端部の横に伸張した横スリット(44)を有することを特徴とする請求項１に記載のラップラウンドケース。
【請求項４】
前記外側パネルフラップ(26)の終端部が前記ロッキングタブを前記内側パネルフラップ(24)に連結する前記折り線(58)に接していることを特徴とする請求項１に記載のラップラウンドケース。
【請求項５】
前記外側パネルフラップは(26)、前記内側パネルフラップ(24)の第一ロックエッジと噛み合う第一ロックタブを有し、前記ロッキングタブ(56)と前記ロッキング開口とが第二ロッキングタブを構成することを特徴とする請求項１に記載のラップラウンドケース。
【請求項６】
前記第一ロッキングエッジが、サイズと形において前記第二ロッキングタブのサイズと形に対応する切欠きのエッジであることを特徴とする請求項５に記載のラップラウンドケース。
【請求項７】
内側パネルフラップ(24)と外側パネルフラップ(26)の各フラップが終端部を有し、前記外パネルフラップの一部が前記内側パネルフラップの一部に重なり、
前記内側パネルフラップは、前記内側パネルフラップ(24)の前記終端部から間隔をおいてとった折り線(58)によって連結されたロッキングタブ(56)を有し、
前記ロッキングタブ(56)は、前記ロッキングタブ(56)を、ベース部分、および中間折り曲げ線(64)に接した保持用開口を有する先端部分に分ける前記中間折り曲げ線(64)を有し、
前記外側パネルフラップ(26)は、ロッキング開口と前記外側パネルフラップ(26)の前記終端部との間にある折り線(50)に沿った前記外側パネルフラップに連結した保持用フラップ(54)の縁部から成る一方の前記ロッキング開口端部と、前記一方のロッキング開口端部の反対側の端部から前記外側パネルフラップの終端部に向かって延在する保持タブ(48)を備えた前記反対側のロッキング開口端部とを有する前記ロッキング開口であって、前記外側パネルフラップの前記終端部から間隔をおいてとった前記ロック開口部を有し、
前記外側パネルフラップの末端部分に前記ロッキングタブ(56)のベース部が重なるとともに、前記ロッキングタブ(56)の先端部分は前記外側パネルフラップ(26)の前記ロッキング開口を突き抜けて延在し、
前記保持タブ(48)は前記ロッキングタブ(56)の終端部の前記保持用開口を貫いて延在し、前記保持用フラップ(54)の縁部は前記ロッキングタブ(56)の終端部と接触することを特徴とする商品ケースの面。
【請求項８】
前記ロッキングタブの前記中間折り曲げ線(64)が前記保持用開口でその連続性を妨げられていることを特徴とする請求項７に記載の商品ケースの面。
【請求項９】
前記外側パネルフラップ(26)が前記ロッキング開口の各々の端部に、前記外側パネルフラップの終端部の横に延びた横スリット(44)を有していることを特徴とする請求項８に記載のケースの面。
【請求項１０】
一般的に四角形のシートと、
折り線によって内側底面パネルフラップ(24)に連結している一方の側面パネル部(12)と、折り線によって外側底面パネルフラップ(26)に連結しているもう一方の側面パネル部(12)と、前記側面パネル部が向かい合うように折り線を介して各々の前記側面パネル部と接続されて前記側面パネル部間の中央部分に位置する天面パネル部(16)とを有し、
前記底面パネルフラップ各々は終端部を有し、
前記内側底面パネルフラップは、前記内側底面パネルフラップ(24)の前記終端部から間隔をおいてとった折り線(58)によって前記内側底面パネルフラップ(24)に連結されたロッキングタブ(56)を有し、前記ロッキングタブ(56)は前記内側底面パネル(24)に連結した端を有するスリットによって範囲が明確化され、
前記ロッキングタブ(56)は、保持用開口部を形成するスリット(66)によりその連続性が途切れている中間折り曲げ線(64)によってベース部分と先端部分とに分けられ、
前記ロッキングタブ(56)は、前記ロッキングタブ(56)を、ベース部分、および中間折り曲げ線(64)に接した保持用開口を有する先端部分に分ける前記中間折り曲げ線(64)を有し、
前記外側パネルフラップ(26)は、ロッキング開口スリットと前記外側底面パネルフラップ(26)の前記終端部との間にある折り線に(50)沿った前記外側底面パネルフラップに連結した保持用フラップ(54)の縁部から成る一方の前記ロッキング開口スリット(44)の端部と、前記一方のロッキング開口スリットの端部の反対側のスリット端部から前記外側底面パネルフラップの終端部に向かって延在する保持タブ(48)を備えた前記反対側のロッキング開口スリット(46)の端部とを有する前記ロッキング開口スリットであって、前記外側底面パネルフラップの前記終端部から間隔をおいてとった前記ロッキング開口部スリットを有し、
前記ラップラウンドケースを形成する際には、
前記外側底面パネルフラップの末端部分に前記ロッキングタブ(56)のベース部が重なるとともに、前記ロッキングタブ(56)の先端部分は前記外側パネルフラップ(26)の前記ロッキング開口を突き抜けて延在し、
前記保持タブ(48)は前記ロッキングタブ(56)の終端部の前記保持用開口を貫いて延在し、前記保持用フラップ(54)の縁部は前記ロッキングタブ(56)の終端部と接触することを特徴とするラップラウンドケースを形成するブランク。
【請求項１１】
前記外側底面パネルフラップ(26)が前記ロッキング開口スリットの各々の端部に、前記外側底面パネルフラップの終端部の横に伸張した横スリット(44)を有することを特徴とする請求項１０に記載のラップラウンドケースブランク。
【請求項１２】
前記保持用フラップ(54)が、前記ロッキング開口スリットの両端で前記横スリット(44)の伸張によって形成されたサイドエッジを有することを特徴とする請求項１１に記載のラップラウンドケースブランク。
【請求項１３】
前記ロッキングタブ(56)と前記ロッキング開口スリットとが、前記ブランクから作られたケースにおいて、第二ロッキングタブと、第一ロッキングタブを有する前記外側底面パネルフラップ(26)と、第一ロックエッジを形成するスリットを有する前記内側底面パネルフラップと、から成ることを特徴とする請求項１０に記載のラップラウンドケース。
【請求項１４】
前記第一ロックエッジを形成するスリットが前記第二ロックタブを形成するスリットの一部分で構成されていることを特徴とする請求項１３に記載のラップラウンドケース。
【発明の詳細な説明】
発明の属する技術分野
本発明は、キャリアケースまたは他のカートンのオーバラップフラップを適切な位置で保持する機構的ロックに関するものであり、特に、雄ロックタブ部分の抜けを防止する手段を備えた機構的ロックに関するものである。
従来の技術
板紙ブランクからカートンを製造する場合、従来、ブランクの両端は接着剤か機構的ロックで合わせられてカートン面を形成している。一般的にラップラウンドケースの場合には、ブランクの両端のフラップを重ね、機構的ロックで連結させてケース底面を形成する。底面ははずれてはいけないため、包装商品の重量や、ロック部分を引き離す原因となる積出しや運搬の負荷に耐えるロックシステムが求められる。
この問題に対する一つのアプローチに、第一ロックと第二ロックの利用が挙げられる。第一ロックでフラップを連結させ、第二ロックで第一ロックが離れるのを防止するためフラップを適切に保持する。この場合、より強い第二ロックを備えていることが重要であることから、多くのシステムにおいては大きな第二雄ロックタブを用いがちであるが、一般的にこの固定方法ではブランク両端に、突き出たタブを必要とする。これはブランクの製造上、タブの位置が経済的なブランクレイアウトでないため、望ましいことではない。
四角ブランク内にある第二雄ロックタブを用いる他のデザインもあるが、デザインの制約上、オーバラップフラップで作られるケース面からのタブの抜けを完全に防止することは困難である。ケース内部に入ったタブ部分に対する簡単な引張力や、ケースが包装機械支持面をすべる時のタブの外側部分の間の摩擦が、時おりタブを引き離し底面をはずれさせてしまう。
よって、ブランクの両端から突き出るような第二雄ロックタブを必要とせず、タブを効果的に適切な位置でロックしてタブの抜けを防止する機構的ロックシステムが強く求められる。
発明の簡単な概要
本発明は連結されたオーバラップフラップのロック開口部にロックタブが挿入された後、ロックタブの抜けを防止する特別な機構的ロックを提供する。重ねられた内フラップは、フラップのエッジから間隔をおいて設けた折り線でフラップに連結しているロックタブを有している。ロックタブは中間の折り線で、ベース部分、及びオーバラップ外フラップにあるロック開口部を突き抜ける先端部分とに分かれている。ロックタブの末端部分は中間折り線と接した保持用開口部を有している。ロック開口部のエッジは保持用フラップのエッジと保持用タブを有する反対側のエッジとから成る。保持用タブは、保持用開口部を通って延びており、保持用フラップのエッジはロックタブの先端部分と接触する。
保持用タブはロックタブの抜けを防止し、保持用フラップはロックタブが保持用タブと噛み合ったまま離れないよう固定する。これは第二ロックを効果的な状態に維持し、それにより第一ロックをも効果的な状態に維持することから、これがラップラウンドケースの第二ロックとして使用されると、より効果的なロック配備となる。さらに、第二ロックタブはブランクのエッジを超えて突き出ていないにもかかわらず非常に強いロック機能を提供する。
本発明の上記記載概要、および他の点についても、他の利点同様、以下の詳細説明において容易に明らかである。
【図面の簡単な説明】
図１は本発明のタブロックの特徴を備えたラップラウンドびんケースの絵画図である。
図２は図１のケースを作るブランクの平面図である。
図３は図２の丸で囲んだ３部分の拡大平面図である。
図４は図２の丸で囲んだ４部分の拡大平面図である。
図５は底面組立ての第一段階を示したケース底面の絵画図である。理解を容易にするためびんを省いている。
図６は図５と同一部分の絵画図であり、底面組立ての、次の中間段階における底面フラップを示したものである。
図７は第二雌ロック開口部に挿入されようとする第二雄ロックタブの部分絵画図である。
図８は図７のライン８ー８部分の拡大横断面図である。
図９は図７と同一部分の部分絵画図であり、底面組立て途中の後半位置にある第二雄ロックタブを示したものである。
図１０は図９のライン１０ー１０部分の拡大横断面図である。
図１１は図７と同一部分の部分絵画図であり、全部が挿入された第二雄ロックタブを示したものである。
図１２は図１１のライン１２ー１２部分の拡大横断面図である。
図１３は第二ロックタブの最終的挿入完了位置の表面に沿って伸長した図１１のライン１３ー１３部分の縦断面図である。
発明の実施の形態
図１においてラップラウンドケース１０を、３本づつ２列に配列した６本の飲料びんＢと共に示している。このケースは斜肩面１４をはさんで天面１６と連結した長さ面１２から成る。びん首用開口部１８からは、びんの首が天面を突き出ることが出来るようになっており、手掛け穴２０はケースを持ち上げる手掛け用の開口部分となっている。又、ケースは底面と接する外端部切欠き部分２２を有しており、底面はオーバーラップフラップ２４、２６から成る。
ケース１０を組み立てるブランク２８を図２に示している。ここで、図１で使われている参照番号と同一参照番号は、同一の部分を示している。ブランクは四角形であり、直角を成している。これはブランクが切り取られる紙匹のブランクのレイアウト上、有効的な形となっている。中央に位置する天面部分１６は、折り線３０で肩面部分１４と連結している。又、反対側の肩面部分は折り線３２で長さ面部分１２と連結している。びん首用開口部１８は肩面部分にくいこんで開けられており、パッケージされたびんをすぐにケースの肩面に沿って配置出来るようになっており、びんの肩の輪郭に肩面をぴったりとはめ込むことが出来る。外端部切欠き２２によってその連続性が妨げられている折り線３４で、長さ面部分は底面フラップに連結している。
図２および図３に示すように、外フラップ２６は、折り線３８でフラップ２６の本体に連結したロック面部分３６を有している。各外端部切欠き２２の向い側には折り線３８上に、第一ロックタブ４２を形成するスリット４０が一定の間隔で設けられている。ロック面部分３６には、各々の第一ロックタブに向かい合ってスリット４４が設けられており、この各々は、小さな保持用タブ４８を形成する、外側に張り出したアーチ状の部分４６を有している。以下で詳しく説明するように、スリット４４はタブ４８と連携して機能する第二雌ロック開口部を形成している。折り線５０はスリット４４から見て外側方向に間隔をおいて設けられている。折り線５０の両端とスリット４４は、スリット４４をわずかに超えて延びた斜めのスリット５２によりつながっている。この配置によりスリット４４に隣接した保持用タブと保持用フラップ５４が形成される。
図２および図４に示すように、底面内フラップ２４は、各々の切欠き２２に向き合い、かつ、折り線５８によって底面内フラップに連結している一定間隔の第二雌ロックタブ５６を有している。各第二ロックタブ本体は、折り線５８の両端から外側に延びて、６２で互いに向かって横に延びたスリット６０により形成されている。スリット６２部分の内側の両端は、小さなタブ６８を形成しているアーチ状スリット６６によりその連続性を妨げられている折り線６４で連結されている。折り線６４の外側に延びた第二ロックタブ７０部分は、両端を直線スリット７４で連結されたスリット７２によりその境界を定めている。スリット７４は、以下の説明のように機能する第一雌ロックエッジを形成する。
ラップラウンドケースは、パッケージされる一組のびんの首がびん首用開口部１８を通って上に突き出るようにブランクの天面部分を動かして作られる。ブランクはびんの周囲でしっかりと引っ張られ、底面フラップが重ねられる。理解を容易にするため図中びんを省いているが、ロック面部分３６と第二ロックタブ５６はこの時、図５に示すように折り返され、この後、ロック面部分は図６に示すように最終位置へと折り倒される。この過程の間、第一ロックタブ４２は第二ロックタブが折り返される時に、スリット７４によって形成された切欠きのエッジを噛み合わせ、その最終位置において内底面フラップ２４の下に置かれる。
図７および図８に示すように、第二ロックタブはこの時、折り線５８部分で前方向に向きを変え、その外側部分７０は折り線６４部分で折られ、ロックタブの両端をタブ４８と接した第二雌ロック開口部の保持用フラップ５４上に位置させる。これによりタブ６８がスリット６６から離され、切欠きまたはタブ６８と同じ形の保持用開口部７６が形成される。この時第二ロックタブはケース内部へと押され、フラップ５４を折り線５０部分でわずかに向きを変えさせ、フラップ５４とスリット４４で形成されたエッジとの間に作られたスペースに第二ロックタブが角度を持って入ることを可能にする。横スリット５２は、ロック面部分３６の接触部分をわずかに曲げて、第二ロックタブを連続して下方へ通過させる。ロックを行う過程におけるこの中間段階の第二ロック部分それぞれの関連については、図９および図１０に示している。
図１１および図１２に示すように、第二ロックタブの連続動作によって、第二ロック開口部にタブが完全に挿入される。第二ロック開口部を通過する第二ロックタブの外側部分７０の動作中、外側部分７０と底面フラップ間の角度は正しい角度に前進する。これは、図８、図１０、および図１２を比較するとより明確である。保持フラップ５４とロックタブ部分７０との間の接触は、第二ロック開口部を通る、スリット４４によって形成される両エッジ方向への動作中、ロックタブ部分を連続的に斜め方向に動かす。結果的に、ロックタブ部分は保持タブ４８と接触し、これを通過してすべり込む。第二ロックタブ部分７０と保持用タブ４８間の関連動作が第二ロックタブの保持用切欠き７６を保持用タブ４８の反対側に持っていく時、タブ４８が保持用切欠きの中に容易に入る。タブ４８は保持用フラップ５４ともはや接触していないので、これらのフラップは元の位置に自由にはね返る。この最終位置を図１２および図１３に示している。保持用タブ４８は付加ロックタブとしてこのように機能し、第二ロックタブが第二ロック開口部から無理に押し出されるのを防止する。同時に保持用フラップ５４は、ロックタブ部分７０が横に移動するのを防止し、これにより保持用タブを凹部７６に保持する。
本発明においては、ケースブランクの隣接エッジを超えて伸張する第二ロックタブを必要とすることなしに、第一、第二ロックの使用が可能となる。又、第二ロックのこの特有のデザインによって、第二ロックタブの偶発的な抜けを防ぎ底面のはずれを防止することが可能となる。ケースの製造は簡易であり、中間の折り線を有する第二ロックタブに関連するステップ以外に特別なステップを必要としない。
ここでケースロックの説明を首の長いびん用のケースを例に行ってきたが、本発明は、首の短いびん、カン、または他のタイプの商品を包装するケースにおいても実用化出来ることは明らかである。
以上、本発明の実施例を詳細に説明してきたが、本発明の範囲を逸脱することなく他の方法でも具体化出来ることは当業者にとって明らかである。
【図１】
0003776453.tif 000002
【図３】
0003776453.tif 000003
【図４】
0003776453.tif 000004
【図１３】
0003776453.tif 000005
【図２】
0003776453.tif 000006
【図５】
0003776453.tif 000007
【図６】
0003776453.tif 000008
【図７】
0003776453.tif 000009
【図８】
0003776453.tif 000010
【図９】
0003776453.tif 000011
【図１０】
0003776453.tif 000012
【図１１】
0003776453.tif 000013
【図１２】
0003776453.tif 000014